(57)【特許請求の範囲】
【請求項１】
商品に付されたラベルコードから当該商品の通常販売価格を読取可能かつ読取通常販売価格を用いて商品登録可能に形成された商品販売データ処理装置において、
前記ラベルコードから前記通常販売価格を読取った際に当該商品が重量売り商品であるか否かを判別可能であるとともに、重量売り商品であると判別されかつ当該客が会員である場合に、当該商品重量と単位重量当りの会員優遇用の単価である単位重量当会員優待単価とを用いて当該商品の会員優遇販売価格を算出可能に形成されている商品販売データ処理装置。
【請求項２】
前記商品重量が、前記ラベルコードから読取った通常販売価格を単位重量当りの通常販売用の単価である単位重量当通常単価で除することにより算出可能に形成されている請求項１記載の商品販売データ処理装置。
【請求項３】
商品に付されたラベルコードから当該商品の通常販売価格を読取可能かつ読取通常販売価格を用いて商品登録可能に形成された商品販売データ処理装置において、
ラベルコード，重量売り商品であるか否かを判別可能な識別符合，単位重量当りの通常販売用の単価である単位重量当通常単価および単位重量当りの会員優遇用の単価である単位重量当会員優待単価を記憶可能な重量売り商品テーブルを設け、
前記ラベルコードから前記通常販売価格を読取った際に重量売り商品テーブルに記憶されている識別符合を参照して当該商品が重量売り商品であるか否かを判別する判別手段と，重量売り商品であると判別されかつ当該客が会員である旨の確認入力が成された場合に前記ラベルコードから読取った通常販売価格を重量売り商品テーブルに記憶されている単位重量当通常単価で除して当該商品重量を算出する商品重量算出手段と，算出された商品重量と重量売り商品テーブルに記憶されている単位重量当会員優待単価とを乗して当該商品の会員優遇販売価格を算出する会員優遇販売価格算出手段とを設けた、商品販売データ処理装置。
【請求項４】
当該客が前記会員であっても当該商品が前記重量売り商品でないと判別された場合には、当該商品重量の大小に拘わらず当該商品の前記会員優遇販売価格が前記読取通常販売価格から一律の会員優待割引額を差引いた額として算出可能に形成されている請求項１から請求項３までのいずれか１項に記載された商品販売データ処理装置。
【発明の詳細な説明】
【０００１】
【発明の属する技術分野】
本発明は、商品に付されたラベルコードから当該商品の通常販売価格を読取可能かつ読取通常販売価格を用いて商品登録可能に形成された商品販売データ処理装置に関する。
【０００２】
【従来の技術】
単独であるいはデータ通信可能に接続された上位機とともにＰＯＳシステムを形成する例えば電子キャッシュレジスタ型の商品販売データ処理装置は、商品登録機能，会計処理機能等を有する。
【０００３】
商品登録機能は、オペレータによってデータ入力手段（スキャナ等）を用いた商品コードが入力されることから開始される。すなわち、制御部が、商品ファイルを参照して入力商品コードに対応する商品データ（商品名，単価等）を取得し、また必要によってキー入力された個数を含む売上データを売上ファイルに記憶（商品登録）する。
【０００４】
顧客買上商品の全てについて商品登録が終わると、会計処理機能が実行される。すなわち、１取引終了宣言としての締め操作がキーボード上の締めキーを用いて行われる。必要によって、カードリーダでクレジットカードデータが読取入力され、現金精算の場合には預り金額がキー入力される。かくして、制御部は、合計金額，釣り銭額等の算出を含む会計処理を行う。これに関する会計処理データを含む取引データは、表示器に表示され、レシート用紙に印字されて後にレシートが発行される。ドロワも自動開放される。その後、レシートは釣銭とともに顧客に手渡される。客のチェックアウトとなる。
【０００５】
ところで、商品の中には、商品ファイルの当該商品データを設定変更するのでは手間が係りかつ時間遅れが大きいので、販売までに間に合わない場合が生じる。そこで、これら商品については、商品に付されたラベルコードから当該商品の商品コードとともに通常販売価格を直接的に読取可能かつ読取通常販売価格を用いて商品登録可能に形成されている。これら商品は、いわゆるＮＯＮ−ＰＬＵ商品といわれている。このＮＯＮ−ＰＬＵ商品の中には、通常販売価格が重量によって決められた重量売り商品がある。
【０００６】
また、客が当該店舗の会員の場合には、値引して販売する会員優待販売が成されている。つまり、商品の通常販売価格から一定の値引額を差引きしあるいは一定の値引率を掛けた値引額を差引いた会員優遇販売価格で販売されている。
【０００７】
ここに、ＦＳＰ（フリークエンド・ショッパーズ・プログラム）いわゆる常連客プログラムでは、ＮＯＮ−ＰＬＵ商品でかつ客が会員である場合に、読取通常販売価格から会員に一律または会員ランク別に差別化された値引額（値引率を介した場合も含む。）を差引いた会員優遇販売価格で販売処理可能に構築されている。
【０００８】
【発明が解決しようとする課題】
しかし、会員に一律の値引額（例えば、２０円）あるいは会員ランク（例えば、ランクＨ，Ｍ，Ｌ）に応じた値引額（例えば、３０円，２０円，１０円）が一定である場合、グラム単価が高額（例えば、１００円／１００ｇ）の重量売り商品を購入しても、低額（例えば、５０円／１００ｇ）の重量売り商品を購入しても、客の享受可能な単位重量当りの値引額は同じ（例えば、２０円）である。
【０００９】
ここに、店舗個性化等の営業戦略から購入金額の多少によって会員優待値引額を差別化する方が好ましいとの考え方がある。つまり、総購入金額が多額な常連客を優遇することが営業成績を向上できるとする考え方である。
【００１０】
かくして、この差別化を徹底すると、重量売り商品に関して単位重量当りの販売単価の高低についても差別化すべしとの要求が生じるものと、本出願人は推定する。つまり、単位重量当りの通常販売単価（グラム単価）が高額（例えば、１００円／１００ｇ）である重量売り商品の値引額を高額（例えば、３０円）とし、単位重量当りの通常単価が低額（例えば、８０円／１００ｇ）である重量売り商品の値引額を低額（例えば、２０円）とする要請が生じるものと思われる。
【００１１】
本発明の目的は、商品の単位重量当通常単価に比例的な値引額として重量売り商品の会員優遇値引処理を行える商品販売データ処理装置を提供することにある。
【００１２】
【課題を解決するための手段】
請求項１の発明は、商品に付されたラベルコードから当該商品の通常販売価格を読取可能かつ読取通常販売価格を用いて商品登録可能に形成された商品販売データ処理装置において、前記ラベルコードから前記通常販売価格を読取った際に当該商品が重量売り商品であるか否かを判別可能であるとともに、重量売り商品であると判別されかつ当該客が会員である場合に、当該商品重量と単位重量当りの会員優遇用の単価である単位重量当会員優待単価とを用いて当該商品の会員優遇販売価格を算出可能に形成された商品販売データ処理装置である。
【００１３】
かかる発明では、商品に付されたラベルコードから通常販売価格を読取った際に、当該読取商品が重量売り商品であるか否かを判別する。重量売り商品であると判別されかつ当該客が会員である場合に、当該商品重量と単位重量当りの会員優遇用の単価である単位重量当会員優待単価とを用いて、当該商品の会員優遇販売価格を算出する。
【００１４】
かくして、重量売り商品でいわゆるグラム単価の高い商品の値引額を高額にかつグラム単価の低い商品の値引額を低額として値引販売処理可能である。すなわち、商品の単位重量当販売単価に比例的な値引額として重量売り商品の会員優遇値引処理を行える。
【００１５】
また、請求項２の発明は、前記商品重量が、前記ラベルコードから読取った通常販売価格を単位重量当りの通常販売用の単価である単位重量当通常単価で除することにより算出可能に形成された商品販売データ処理装置である。
【００１６】
かかる発明では、ラベルコードから読取った通常販売価格（例えば、４５０円）を単位重量当通常単価（例えば、１００円／１００ｇ）で除することにより、商品重量（４．５ｇ）を算出する。
【００１７】
したがって、請求項１の発明の場合と同様な作用効果を奏することができることに加え、さらにＰＬＵ商品の通常販売価格の場合に比較して入力かつコード化記憶が困難なＮＯＮ―ＰＬＵ商品の当該重量をコード化記憶しておく必要がないので、ラベルコードの簡素化および作成作業迅速化を図れる。
【００１８】
さらに、請求項３の発明は、商品に付されたラベルコードから当該商品の通常販売価格を読取可能かつ読取通常販売価格を用いて商品登録可能に形成された商品販売データ処理装置において、ラベルコード，重量売り商品であるか否かを判別可能な識別符合，単位重量当りの通常販売用の単価である単位重量当通常単価および単位重量当りの会員優遇用の単価である単位重量当会員優待単価を記憶可能な重量売り商品テーブルを設け、前記ラベルコードから前記通常販売価格を読取った際に重量売り商品テーブルに記憶されている識別符合を参照して当該商品が重量売り商品であるか否かを判別する判別手段と，重量売り商品であると判別されかつ当該客が会員である旨の確認入力が成された場合に前記ラベルコードから読取った通常販売価格を重量売り商品テーブルに記憶されている単位重量当通常単価で除して当該商品重量を算出する商品重量算出手段と，算出された商品重量と重量売り商品テーブルに記憶されている単位重量当会員優待単価とを乗して当該商品の会員優遇販売価格を算出する会員優遇販売価格算出手段とを設けた、商品販売データ処理装置である。
【００１９】
かかる発明では、判別手段は、ラベルコードから通常販売価格が読取られた際に、重量売り商品テーブルに記憶されている識別符合を参照して、当該商品が重量売り商品であるか否かを判別する。重量売り商品であると判別されかつ当該客が会員である旨の確認入力が成された場合に、商品重量算出手段が、ラベルコードから読取った通常販売価格を重量売り商品テーブルに記憶されている単位重量当通常単価で除して当該商品重量を算出する。また、会員優遇販売価格算出手段が、算出商品重量と重量売り商品テーブルに記憶されている単位重量当会員優待単価とを乗して当該商品の会員優遇販売価格を算出する。
【００２０】
したがって、請求項１の発明の場合と同様に商品の単位重量当通常単価に比例的な値引額として重量売り商品の会員優遇値引処理を行えるとともに、通常商品登録操作に加えて会員確認入力をするだけで単位重量当会員優待単価および会員優遇販売価格が算出可能で、ＰＬＵ商品の通常販売価格の場合に比較して入力かつコード化記憶が困難なＮＯＮ―ＰＬＵ商品の当該重量をコード化記憶しておく必要がないから、ラベルコードの簡素化および作成作業迅速化を図れかつ取扱いが簡単である。
【００２１】
さらにまた、請求項４の発明は、当該客が前記会員であっても当該商品が前記重量売り商品でないと判別された場合には、当該商品重量の大小に拘わらず当該商品の前記会員優遇販売価格が前記読取通常販売価格から一律の会員優待割引額を差引いた額として算出可能に形成された商品販売データ処理装置である。
【００２２】
かかる発明では、商品が重量売り商品でないと判別された場合には、当該客が会員であったとしてもかつ商品重量の大小に拘わらず、当該商品の会員優遇販売価格は、当該各読取通常販売価格から一律の会員優待割引額を差引いた額として算出される。
【００２３】
したがって、請求項１から請求項３までの発明の場合と同様な作用効果を奏することができることに加え、さらに重量売り商品でない商品の会員優遇販売価格が読取通常販売価格から一律の会員優待割引額を差引いた額として算出されるので、ＰＬＵ商品およびＮＯＮ−ＰＬＵ商品でかつ重量売り商品でない商品についての値引処理も円滑に行える。
【００２４】
【発明の実施の形態】
以下、本発明の実施形態について図面を参照して説明する。
【００２５】
本商品販売データ処理装置は、図１に示す如く、基本的構造が電子キャッシュレジスタ１０とされかつ重量売り商品テーブル１９ＳＦＪと判別手段（１１，１２）と商品重量算出手段（１１，１２）と会員優遇販売価格算出手段（１１，１２）とを設け、商品に付されたラベルコードから通常販売価格Ｋｔを読取った際に当該商品が重量売り商品であるか否かを判別可能であるとともに、重量売り商品であると判別されかつ当該客が会員である場合に、当該商品重量Ｗと単位重量当りの会員優遇用の単価である単位重量当会員優待単価Ａｙとを用いて当該商品の会員優遇販売価格Ｋｙを算出可能に形成されている。
【００２６】
図１において、電子キャッシュレジスタ１０は、ＣＰＵ１１，ＲＯＭ１２，ＲＡＭ１３，スキャナ（ＳＣＮ）１４，キーボード（ＫＢ）１５，表示器（ＩＮＤ）１６，プリンタ（ＰＲＴ）１７，自動開放型のドロワ（ＤＲＷ）１８，ハードディスク（ＨＤＤ）１９および上位機（ストアコントローラ２０）とのデータ通信用のインターフェイス（Ｉ／Ｆ）を含み、商品登録機能，会計処理機能等を有する。なお、４０は会員カード用のリーダライタである。
【００２７】
各電子キャッシュレジスタ１０とデータ通信可能に接続された上位機であるストアコントローラ２０は、ＣＰＵ２１，ＲＯＭ２２，ＲＡＭ２３，キーボード（ＫＢ）２６，表示器（ＩＮＤ）２７，フロッピーディスク装置（ＦＤＤ）２８，ハードディスク装置（ＨＤＤ）２９および各電子キャッシュレジスタ１０とのデータ通信回線１用およびホストコンピュータ３０とのデータ通信回線４用の各インターフェイス（Ｉ／Ｆ）を含み、各電子キャッシュレジスタ１０を一括管理する。
【００２８】
ＨＤＤ（２９）には、顧客ファイル２９ＫＦ，商品データファイル２９ＳＦ等が設けられている。この実施形態では、商品データファイル２９ＳＦが図２に示すように商品ファイル２９ＳＦＧと重量売り商品テーブル２９ＳＦＪとを一体的に形成してある。メモリ小容量化および検索便宜化のためである。また、商品データファイル２９ＳＦ（２９ＳＦＧ，２９ＳＦＪ）は、各電子キャッシュレジスタ１０側のＨＤＤ（１９）にダウンロードされかつ当該各電子キャッシュレジスタ１０がＲＡＭ１３に展開して使用するものと形成してある。
【００２９】
つまり、電子キャッシュレジスタ１０側の商品データファイル１９ＳＦ（商品ファイル１９ＳＦＧ，重量売り商品テーブル２９ＳＦＪ）は、商品データファイル２９ＳＦ（商品データファイル２９ＳＦＧ，重量売り商品テーブル２９ＳＦＪ）のコピーである。
【００３０】
顧客ファイル２９ＫＦも各電子キャッシュレジスタ１０側のＨＤＤ（１９）にダウンロードしかつ当該各電子キャッシュレジスタ１０でＲＡＭ１３に展開して使用可能に構築してもよい。もとより、各電子キャッシュレジスタ１０がストアコントローラ２０内の顧客ファイル２９ＫＦおよび商品データファイル２９ＳＦ（２９ＳＦＧ，２９ＳＦＪ）を直接的に使用可能に構築することもできる。例えば、問合せ・応答の形式で利用する。
【００３１】
さて、電子キャッシュレジスタ１０の商品登録機能は、次のようにして行われる。すなわち、スキャナ１４やキーボード１５を用いて商品コードを入力（図３のＳＴ１２のＮＯ，ＳＴ１３のＹＥＳ）すると、制御部（ＣＰＵ１１，ＲＯＭ１２）が、ストアコントローラ２０内の商品データファイル１９ＳＦのコピー（１９ＳＦ）を参照して得た商品データ（商品名，単価等）を用いて商品登録する（ＳＴ１５，ＳＴＹ１６）。この登録商品の売上データ（商品名，単価，数量等）は、売上ファイル（図示省略）に記憶（登録）される。
【００３２】
引続き、例えば、預り／現計キーを押下して１取引終了宣言としての締め操作（図４のＳＴ２７でＹＥＳ）をすると、合計金額，釣銭額の算出やドロワ１８の自動開放等を含む会計処理（機能）を行える（ＳＴ２８）。売上データは、表示器１６に表示され、プリンタ１７によってレシート用紙に印字されかつレシートとして発行（ＳＴ２９）される。
【００３３】
ここに、重量売り商品テーブル１９ＳＦＪは、図２に示す如く、商品コード（例えば、“０２１２３４５００００００”），重量売り商品であるか否かを判別可能な識別符合（例えば、ステータス…０：通常，１：重量），単位重量当りの通常販売用の単価である単位重量当通常単価Ａｔ（例えば、１００円／１００ｇ）および単位重量当りの会員優遇用の単価である単位重量当会員優待単価Ａｋ（例えば、８０円／１００ｇ）を記憶させる手段である。
【００３４】
この商品コード（例えば、“０２１２３４５００００００”）は、商品コード（例えば、“０２１２３４５００００００”），商品名［例えば、“豚肉パック”］，単価［例えば、“４５０円”］および会員割引［例えば、“２０円”］を記憶させる商品ファイル１９ＳＦＧと共通使用される。
【００３５】
判別手段（ＣＰＵ１１，ＲＯＭ１２）は、ラベルコードから通常販売価格Ｋｔ（単価…例えば、“４５０円”）を読取った際に、重量売り商品テーブル１９ＳＦＪに記憶されている識別符合（ステータス）を参照して当該商品が重量売り商品であるか否かを判別（図３のＳＴ１８）する。
【００３６】
商品重量算出手段（ＣＰＵ１１，ＲＯＭ１２）は、重量売り商品であると判別（図３のＳＴ１８でＹＥＳ）されかつ当該客が会員である旨の確認入力（ＳＴ１０のＹＥＳ，ＳＴ１１，ＳＴ１７のＹＥＳ）が成された場合にラベルコードから読取った通常販売価格Ｋｔ（“４５０円”）を重量売り商品テーブル１９ＳＦＪに記憶されかつＳＴ２０，ＳＴ２１で取得された単位重量当通常単価Ａｔ（例えば、“１００円／１００ｇ”）で除して当該商品重量Ｗ［４．５ｇ＝Ｋｔ（４５０）／Ａｔ（１００）］を算出（ＳＴ２３）する。
【００３７】
確認入力は、会員カード挿入による自動入力（ＳＴ１０のＹＥＳ，ＳＴ１１，ＳＴ１７のＹＥＳ）方式としてあるが、オペレータの例えばキー入力による手動入力方式に形成してもよい。
【００３８】
なお、ラベルコードの記憶容量が大きくあるいは入力・記憶時間が長く取れる場合等においては、商品重量を当該ラベルコードの一部にコード化記憶させておき商品重量をレベルコードの読取と同時的に読取可能に形成することもできる。しかし、この実施形態の場合のように算出方式に形成しておくと、ＰＬＵ商品の通常販売価格Ｋｔ等の場合に比較して入力かつ記憶が困難なＮＯＮ―ＰＬＵ商品の当該重量Ｗをコード化記憶しておく必要がないので、ラベルコードの簡素化および作成作業迅速化を図れる。
【００３９】
会員優遇販売価格算出手段（ＣＰＵ１１，ＲＯＭ１２）は、算出された商品重量Ｗ（４．５ｇ）と重量売り商品テーブル１９ＳＦＪに記憶されかつＳＴ２０，ＳＴ２２で取得された単位重量当会員優待単価Ａｙ（例えば、“８０円／１００ｇ”）とを乗して当該商品の会員優遇販売価格Ｋｙ（＝３６０円＝Ｗ（４．５）×Ａｙ（８０））を算出（ＳＴ２４）する。
【００４０】
また、値引額算出手段（ＣＰＵ１１，ＲＯＭ１２）は、通常販売価格Ｋｔ（“４５０円”）から会員優遇販売価格Ｋｙ（３６０円）を差引いて値引額△（９０円＝４５０−３６０）を算出（ＳＴ２５）する。
【００４１】
会員優遇値引処理制御手段（ＣＰＵ１１，ＲＯＭ１２）は、これら通常販売価格Ｋｔ（“４５０円”），会員優遇販売価格Ｋｙ（３６０円）および値引額△（９０円）を用いて会員優遇値引処理（ＳＴ２６）をする。すなわち、商品の単位重量当通常単価Ａｔに比例的な値引額△として重量売り商品の会員優遇値引処理（ＳＴ２６）を行える。
【００４２】
なお、当該客が会員であっても（ＳＴ１０でＹＥＳ，ＳＴ１１，ＳＴ１７のＹＥＳ）、当該商品が重量売り商品でないと判別された場合（ＳＴ１８のＮＯ）には、当該商品重量Ｗの大小に拘わらず当該商品の会員優遇販売価格Ｋｙが読取通常販売価格Ｋｔ（４５０円）から一律の会員優待割引額（２０円）を差引きした額（４３０円＝４５０−２０）として算出されかつ当該金額を用いた会員値引処理（ＳＴ１９）がなされる。したがって、ＰＬＵ商品およびＮＯＮ−ＰＬＵ商品でかつ重量売り商品でない商品についての値引処理も円滑に行える。
【００４３】
かかる実施形態の商品販売データ処理装置（１０）では、会員カードをリーダライタ４０に挿入（図３のＳＴ１０でＹＥＳ）すると、ストアコントローラ２０の顧客ファイル２９ＫＦを参照してそのカード有効性が確認される（ＳＴ１１）。確認の旨はＲＡＭ１３に記憶される。
【００４４】
ここで、オペレータ（キャッシャ）がスキャナ１４を用いて商品（“豚肉パック”）に付されたラベルコードの読取入力（ＳＴ１２のＹＥＳ）を行うと、制御部（１１，１２）が当該ラベルコード内に記憶されている商品コード（例えば、“０２１２３４５００００００”）および通常販売価格Ｋｔ（例えば、“４５０円”）を読取記憶（ＳＴ１４）するとともに、商品登録（ＳＴ１６）する。
【００４５】
なお、スキャナ１４を用いて読込んだデータが通常販売価格Ｋｔ（例えば、“４５０円”）を含まない商品コード（“０２１２３４５００００００”）のみである場合（ＰＬＵ商品の場合）には、制御部（１１，１２）が、図２の商品ファイル１９ＳＦＧを参照して当該読取商品コード（“０２１２３４５００００００”）に対応する単価（“４５０円”）を読取りＲＡＭ１３に一時記憶する（ＳＴ１３のＹＥＳ，ＳＴ１５）。
【００４６】
判別手段（１１，１２）は、ラベルコードから通常販売価格Ｋｔが読取られた際に、図２の重量売り商品テーブル１９ＳＦＪに記憶されている識別符合（ステータス（“１”）を参照して、当該商品が重量売り商品であると判別（ＳＴ１８のＹＥＳ）する。
【００４７】
この判別手段（１１，１２）で当該商品が重量売り商品であると判別されかつ当該客が会員である旨の確認入力が成された場合（ＳＴ１１，ＳＴ１７のＹＥＳ）に、商品重量算出手段（１１，１２）が、ラベルコードから読取った通常販売価格Ｋｔ（４５０円）を重量売り商品テーブル１９ＳＦＪに記憶されている単位重量当通常単価Ａｔ（１００円／１００ｇ）で除して当該商品重量Ｗ（４．５ｇ）を算出する（図４のＳＴ２０〜ＳＴ２３）。
【００４８】
引続き、会員優遇販売価格算出手段（１１，１２）が、算出商品重量Ｗと重量売り商品テーブル１９ＳＦＪに記憶されている単位重量当会員優待単価Ａｙ（８０円／１００ｇ）とを乗して当該商品の会員優遇販売価格Ｋｙ（３６０円）を算出する（ＳＴ２４）。
【００４９】
したがって、商品の単位重量当通常単価Ａｔに比例的な値引額として重量売り商品の会員優遇値引処理（ＳＴ２６）を行えるとともに、通常商品登録操作（図３のＳＴ１２でＹＥＳ，ＳＴ１３でＹＥＳ）に加えて会員確認入力（図３のＳＴ１０でＹＥＳ，ＳＴ１１）をするだけで単位重量当会員優待単価Ａｙおよび会員優遇販売価格Ｋｙが算出可能で、ＰＬＵ商品の通常販売価格Ａｔの場合に比較して入力かつ記憶が困難なＮＯＮ―ＰＬＵ商品の当該重量Ｗをコード化記憶しておく必要がないから、ラベルコードの簡素化および作成作業迅速化を図れかつ取扱いが簡単である。
【００５０】
なお、値引額算出手段（１１，１２）によって値引額△（９０円）も算出（図４のＳＴ２５）される。レシートへの印字（ＳＴ２９）のためである。
【００５１】
締め操作（図４のＳＴ２７のＹＥＳ）で、会計処理（ＳＴ２８）がなされ、レシートが印字・発行される（ＳＴ２９）。また、ストアコントローラ２０側の顧客ファイル２９ＫＦが更新（ＳＴ３０）される。今回購入金額等の履歴が累積記憶される。
【００５２】
【発明の効果】
請求項１の発明によれば、ラベルコードから通常販売価格を読取った際に当該商品が重量売り商品であると判別しかつ当該客が会員である場合に、当該商品重量と単位重量当会員優待単価とを用いて当該商品の会員優遇販売価格を算出可能に形成された商品販売データ処理装置であるから、商品の単位重量当通常単価に比例的な値引額として重量売り商品の会員優遇値引処理を行える。
【００５３】
また、請求項２の発明によれば、商品重量がラベルコードから読取った通常販売価格を単位重量当通常単価で除することにより算出可能に形成されているので、請求項１の発明の場合と同様な効果を奏することができることに加え、さらにＰＬＵ商品の通常販売価格の場合に比較して入力かつコード化記憶が困難なＮＯＮ―ＰＬＵ商品の当該重量をコード化記憶しておく必要がないので、ラベルコードの簡素化および作成作業迅速化を図れる。
【００５４】
さらに、請求項３の発明によれば、重量売り商品テーブル，判別手段，商品重量算出手段および会員優遇販売価格算出手段を設け、重量売り商品であると判別されかつ当該客が会員である場合に、当該商品重量と単位重量当会員優待単価とを用いて当該商品の会員優遇販売価格を算出可能に形成された商品販売データ処理装置であるから、請求項１の発明の場合と同様に商品の単位重量当通常単価に比例的な値引額として重量売り商品の会員優遇値引処理を行えるとともに、通常商品登録操作に加えて会員確認入力をするだけで単位重量当会員優待単価および会員優遇販売価格が算出可能で、ＰＬＵ商品の通常販売価格の場合に比較して入力かつコード化記憶が困難なＮＯＮ―ＰＬＵ商品の当該重量をコード化記憶しておく必要がないから、ラベルコードの簡素化および作成作業迅速化を図れかつ取扱いが簡単である。
【００５５】
さらにまた、請求項４の発明によれば、当該客が会員でも重量売り商品でない場合には、当該商品の会員優遇販売価格が読取通常販売価格から一律の会員優待割引額を差引きした額として算出可能に形成されているので、請求項１から請求項３までの発明の場合と同様な効果を奏することができることに加え、さらに会員優遇販売価格が読取通常販売価格から一律の会員優待割引額を差引いた額として算出されるので、ＰＬＵ商品およびＮＯＮ−ＰＬＵ商品でかつ重量売り商品でない商品についての値引処理も円滑に行える。
【図面の簡単な説明】
【図１】本発明の実施形態を示すブロック図である。
【図２】同じく、重量売り商品テーブル等を説明するための図である。
【図３】同じく、電子キャッシュレジスタ側の動作を説明するためのフローチャート（１）である。
【図４】同じく、電子キャッシュレジスタ側の動作を説明するためのフローチャート（２）である。
【符号の説明】
１０  電子キャッシュレジスタ（商品販売データ処理装置）
１１  ＣＰＵ（判別手段，商品重量算出手段，会員優遇販売価格算出手段）
１２  ＲＯＭ（判別手段，商品重量算出手段，会員優遇販売価格算出手段）
１３  ＲＡＭ
１４  スキャナ
１５  キーボード
１６  表示器
１７  プリンタ
１９  ハードディスク装置
１９ＳＦ  コピーされた商品データファイル
１９ＳＦＧ  コピーされた商品ファイル
１９ＳＦＪ  コピーされた重量売り商品テーブル
２０  ストアコントローラ
２９ＳＦ  コピーされた商品データファイル
２９ＳＦＧ  商品ファイル
２９ＳＦＪ  重量売り商品テーブル
４０  リーダライタ
【図１】
0003700758.tif 000002
【図２】
0003700758.tif 000003
【図３】
0003700758.tif 000004
【図４】
0003700758.tif 000005